(57)【特許請求の範囲】
【請求項１】
ディスク状記録媒体を回転可能に収納し、少なくとも一方に記録再生のための第１の開口部を有する上下シェルと、前記第１の開口部と略同形の第２の開口部を有するインナーシェルと、前記インナーシェルに連結されて前記第１の開口部を開閉するシャッタと、を備え、
前記インナーシェルは、第１の成型部と、前記第１の成型部の内周に鍔状薄肉部を介して一体に形成されていて成型時における樹脂注入口の痕跡部を備えた第２の成型部と、からなる樹脂成形品から、前記鍔状薄肉部において前記第２の成型部を切断除去した前記第１の成型部にて構成されていること
を特徴とするディスクカートリッジ。
【請求項２】
前記鍔状薄肉部は、前記第１の成型部の中央部に半円状とされたこと
を特徴とする請求項１に記載のディスクカートリッジ。
【請求項３】
第１の成型部と、前記第１の成型部の内周に鍔状薄肉部を介して一体に形成された第２の成型部と、からなり前記第２の成型部に成型時における樹脂注入口の痕跡部を備えていること
を特徴とするディスクカートリッジ用成型部材。
【請求項４】
前記第１の成型部は、円板状をなして前記ディスクカートリッジ内に配置され、回動によって前記ディスクカートリッジ内に備えられている板状シャッター部材を開閉するインナーシェルであること
を特徴とする請求項３に記載のディスクカートリッジ用成型部材。
【請求項５】
前記第１の成型部と、前記第１の成型部の内周に鍔状薄肉部を介して一体に形成された第２の成型部と、からなるディスクカートリッジ用成型部材を成型する固定金型と可動金型とからなる成型金型の前記第２の成型部を成型するキャビティ部分に対応する位置に樹脂注入口を設け、該樹脂注入口を中心にして溶融樹脂を放射状に拡散させて前記第２の成型部を成型するキャビティ部分、前記鍔状薄肉部を成型するキャビティ部分、前記第１の成型部を成型するキャビティ部分に順次、溶融樹脂を充填して、前記第１の成型部、鍔状薄肉部、第２の成型部を成型した後に、前記鍔状薄肉部を切断して、前記第１の成型部と前記第２の成型部を分離すること
を特徴とするインナーシェルの製造方法。
【請求項６】
前記鍔状薄肉部を切断して、前記第１の成型部と前記第２の成型部を分離する工程は、前記可動金型に設けられたパンチによって行われること
を特徴とするインナーシェルの製造方法。
【発明の詳細な説明】
【０００１】
【発明の属する技術分野】
本発明は、ディスク状記録媒体を回転可能に収納した上下シェルの開口部を開閉するシャッタの開閉操作をインナーシェルの回動によって行うようにしたディスクカートリッジ及び該ディスクカートリッジに用いるディスクカートリッジ用成型部材並びに前記インナーシェルの製造方法に関するものである。
【０００２】
【従来の技術】
従来、一般に、音声、映像或いはコンピュータのデータ等の情報の記録及び／又は再生が可能なディスク状記録媒体がカートリッジ筐体内に回転自在に収納されたディスクカートリッジとしては、例えば、コンピュータのデータ等の情報を使用者が後から記録書き込みできる追記型あるいは書換型光ディスクを内蔵しているものが知られている。
【０００３】
図３６に示したように、ディスクカートリッジ１０１として、上，下シェル１０２ａ，１０２ｂからなるカートリッジ筐体１０２内に、ディスク状記録媒体１０３と、インナーシェル１０４と、シャッタ１０５とを収納することにより構成されていて、インナーシェル１０４を一方向に回転させると、シャッタ１０５がカートリッジ筐体１０２に設けた開口部１０６を閉じる第１の位置に移動し、インナーシェル１０４を他方向に回転させると、シャッタ１０５がカートリッジ筐体１０２の下シェル１０２ｂに設けた開口部１０６を解放する第２の位置に移動するようになっているものが知られている。
【０００４】
前記光ディスク１０３は、インナーシェル１０４の上面側に配置され、前記シャッタ１０５は、インナーシェル１０４の下面側に配置されている。
【０００５】
インナーシェル１０４は、円板状の薄い板材からなる平面部１０４ａと、この平面部１０４ａの外周縁に連続して設けられたリング部１０４ｂとを有している。インナーシェル１０４の平面部１０４ａには、開口部１０４ｃが形成されている。
【０００６】
前記インナーシェル１０４の開口部１０４ｃは、下シェル１０２ｂの開口部１０６と形状及び大きさがほぼ等しく形成されている。また、前記リング部１０４ｂの外周面には、ギヤ部１０４ｄが設けられている。前記インナーシェル１０４は、合成樹脂を射出成型することにより形成されている。
【０００７】
図３７は、インナーシェル１０４を樹脂成型する際の樹脂の流れを示す説明図である。射出成型装置の樹脂注入口、所謂ゲート１１１は、インナーシェル１０４の平面部１０４ａの開口部１０４ｃの長さ方向の延長位置（前記リング部１０４ｂの近傍位置）に設けられていて、前記ゲート１１１から注入された溶融樹脂は、射出成型装置の金型のキャビティ内を矢印方向に流れてキャビティ内に充填され、前記インナーシェル１０４が形成される。なお、ゲート１１１をインナーシェル１０４の平面部１０４ａの周縁部に配置したのは、ゲートの痕跡部がシャッタ１０５等と干渉するのを回避するためである。
【０００８】
【発明が解決しようとする課題】
ところで、前記従来のディスクカートリッジ１０１及びインナーシェル１０４には、次に述べるような問題点があった。
（１）射出成型時におけるゲート１１１の位置が、インナーシェル１０４の平面部１０４ａの周縁部に設けられているために、ゲート１１１の位置から反対側の周縁部までの距離は、インナーシェル１０４の直径と略同じ値になり溶融樹脂がの流れる距離が長くなるために溶融樹脂がゲート１１１の位置から反対側の周縁部まで完全に回りきらずに所謂ショートモールド（成型不良）等が発生しやすい。
（２）ショートモールドは、溶融樹脂の充填圧力を増大させることにより解消することができるが、充填圧力を増大させるとインナーシェル１０４に歪みや反りが発生し易くなる。
【０００９】
本発明は、前記従来の問題点を解決したディスクカートリッジ、該ディスクカートリッジに用いる樹脂成型部材並びにインナーシェルの製造方法を提供することを目的としてなされたものである。
【００１０】
【課題を解決するための手段】
本発明のディスクカートリッジは、ディスク状記録媒体を回転可能に収納し、少なくとも一方に記録再生のための第１の開口部を有する上下シェルと、前記第１の開口部と略同形の第２の開口部を有するインナーシェルと、前記インナーシェルに連結されて前記第１の開口部を開閉するシャッタと、を備えたディスクカートリッジにおいて、
前記インナーシェルを、第１の成型部と、前記第１の成型部の内周に鍔状薄肉部を介して一体に形成されていて成型時における樹脂注入口の痕跡部を備えた第２の成型部と、からなる樹脂成形品から、前記鍔状薄肉部において前記第２の成型部を切断除去した前記第１の成型部にて構成した。
【００１１】
また、本発明のディスクカートリッジ用成型部材を、第１の成型部と、前記第１の成型部の内周に鍔状薄肉部を介して一体に形成されていて成型時における樹脂注入口の痕跡部を備えている第２の成型部と、で構成し、
前記鍔状薄肉部より第２の成型部を切断除去して前記第１の成型部をディスクカートリッジの部品、例えばインナーシェルとして使用されるようにした。
【００１２】
また、本発明のインナーシェルの製造方法は、前記第１の成型部と、前記第１の成型部の内周に鍔状薄肉部を介して一体に形成された第２の成型部と、からなるディスクカートリッジ用成型部材からインナーシェルを製造する方法であって、前記ディスクカートリッジ用成型部材を成型する固定金型と可動金型とからなる成型金型の前記第２の成型部を成型するキャビティ部分に対応する位置に樹脂注入口を設け、該樹脂注入口を中心にして溶融樹脂を放射状に拡散させて前記第２の成型部を成型するキャビティ部分、前記鍔状薄肉部を成型するキャビティ部分、前記第１の成型部を成型するキャビティ部分に順次、溶融樹脂を充填して、前記第１の成型部、鍔状薄肉部、第２の成型部を成型した後に、前記鍔状薄肉部を切断して、前記第１の成型部と前記第２の成型部を分離する構成にした。
【００１３】
【発明の実施の形態】
次に、以下の順序で本発明を詳細に説明する。（１）ディスクカートリッジの概略構成、（２）樹脂成型品の構成及びインナーシェルの製造方法、（３）カートリッジ筐体の構成、（４）チャッキングプレートとチャッキングプレート押さえの構成及びチャッキングプレートの作用、（５）ディスク状記録媒体の構成、（６）インナーシェルの構成、（７）シャッタの構成、（８）ディスクカートリッジの組立方法、（９）作用、の各項に分けて順に説明する。
【００１４】
（１）ディスクカートリッジの概略構成
図１は、ディスクカートリッジを上シェル側から見た斜視図、図２は図１の分解斜視図、図３は下シェル側から見たシャッタ開状態の斜視図、図４は図３の分解斜視図である。  図１〜図４に示したように、ディスクカートリッジ１は、ディスク状記録媒体３を回転可能に収納し、少なくとも一方に記録再生のための第１の開口部６を有する上、下シェル２１、２２からなるカートリッジ筐体２と、前記第１の開口部６と略同形の第２の開口部４２を有するインナーシェル４と、前記インナーシェル４に連結されて前記第１の開口部を開閉するシャッタ５と、を備えている。
【００１５】
カートリッジ筐体２内に、ディスク状記録媒体３と、インナーシェル４と、シャッタ５とを収納することにより構成されていて、インナーシェル４を一方向に回転させると、シャッタ５がカートリッジ筐体２に設けた開口部６を閉じる第１の位置に移動し、インナーシェル４を他方向に回転させると、シャッタ５がカートリッジ筐体２に設けた開口部６を解放する第２の位置に移動するようになっている。
【００１６】
前記インナーシェル４は、次のディスクカートリッジ用成型部品１００の項で詳しく説明するように、前記第２の開口部４２を樹脂注入口とする第１の成型部１００Ａと、前記第１の成型部１００Ａより鍔状薄肉部１００Ｂを介して本体部とする第２の成型部１００Ｃと、で一体に成型され、前記第１の成型部１００Ａが前記鍔状薄肉部１００Ｂより切除されて組み込まれている。
【００１７】
カートリッジ筐体２は、上，下シェル２１，２２の周壁２１ａ，２２ａを突き合せることにより形成されていて、下シェル２２に前記開口部６が設けられている。上シェル２１の内面には、チャッキングプレート７がチャッキングプレート押さえ８によって垂直方向に移動自在に取り付けられている。また、前記上シェル２１の内面には、前記チャッキングプレート７の移動量を規制するチャッキングプレート移動規制リブ９が設けられている。
【００１８】
そして、前記ディスクカートリッジ１を情報記録再生装置に装填すると、チャッキングプレート７は、情報記録再生装置のターンテーブル側に磁気吸引されて、前記ディスク状記録媒体３を前記情報記録再生装置のターンテーブルの間に挟み着けてチャッキングする構成になっている。
【００１９】
（２）樹脂成型品及びインナーシェルの製造方法
図５〜図８に示したように、樹脂成型品１００は、第１の成型部１００Ａと、第１の成型部１００Ａの中央部に鍔状薄肉部１００Ｂを介して、前記第１の成型部１００Ａと一体に形成された第２の成型部１００Ｃとを備えている。
【００２０】
第２の成型部１００Ｃは、樹脂成型時における樹脂注入口、所謂ゲートの痕跡部１００Ｄを備えている。
【００２１】
第１の成型部１００Ａは、鍔状薄肉部１００Ｂを切断して第２の成型部１００Ｃを除去して、前記ディスクカートリッジ１内に組み込まれてインナーシェル４として使用される。
【００２２】
図９は、樹脂成型品１００を製造する射出成型装置２００を示す。射出成型装置２００は、固定金型２０１と可動金型２０２とを備えている。そして、前記固定金型２０１と可動金型２０２の間に前記樹脂成型品１００を形成するためのキャビティ（成型用空間）２０３が設けられている。キャビティ２０３は、第１の成型部１００Ａを形成する第１のキャビティ部分２０３ａと、鍔状薄肉部１００Ｂを形成する第２のキャビティ部分２０３ｂと、第２の成型部１００Ｃを形成する第３のキャビティ部分２０３ｃとを備えている。
【００２３】
固定金型２０１は、第３のキャビティ部分２０３ｃの中央部に対応する位置に、樹脂注入口となるゲートブッシュ２０４を備え、第２のキャビティ部分２０３ｂは、半円形状のフィルムゲートになっている。また、可動金型２０２には、ゲートカットパンチ２０５が設けられている。
【００２４】
そして、前記ゲートブッシュ２０４から溶融樹脂をキャビティ２０３内に注入すると、図１０に示したように、溶融樹脂は、ゲート２０４を中心にして放射状に拡散されて、第３〜第１のキャビティ部分２０３ｃ〜２０３ａに注入される。溶融樹脂を第３〜第１のキャビティ部分２０３ｃ〜２０３ａに注入して、所定の圧力を保てば、溶融樹脂は、第３〜第１のキャビティ部分２０３ｃ〜２０３ａの隅々まで充填されて、第１の成型部１００Ａ、鍔状薄肉部１００Ｂ、第２の成型部１００Ｃからなる樹脂成型品１００が成型される。
【００２５】
樹脂成型品１００が冷却固化する前で、かつ所定の温度以下になった時に、前記ゲートカットパンチ２０５で鍔状薄肉部１００Ｂを切断する。そして、固定金型２０１に対して可動金型２０２を離間方向に移動させ、前記鍔状薄肉部１００Ｂで切断、分離された第１，第２の成型部１００Ａ，１００Ｃを、射出成型装置２００から取り出す。
【００２６】
なお、ゲートカットパンチ２０５が設けられていない射出成型装置を使用して樹脂成型品１００を成型した場合には、図１１に示すように、射出成型装置で成型した樹脂成型品１００をゲートカット装置２１０の下治具２１１上に載置して、上治具２１２で押さえてゲートカットパンチ２１３で鍔状薄肉部１００Ｂを切断してもよい。
【００２７】
（３）カートリッジ筐体の構成
カートリッジ筐体２は、上，下シェル２１，２２の周壁２１ａ，２２ａを突き合せることにより形成されている。
【００２８】
図１及び図１２に示したように、上シェル２１は、正面側が円弧形状とされた略四角形をなす薄い皿状部材からなり、外周縁部には周壁２１ａが設けられている。
【００２９】
上シェル２１は、内面の中央部に、後に説明するチャッキングプレート押さえ８の固定部８ｄの外径よりもやや大径で、かつ固定部８ｄの肉厚と略同じ深さのチャッキングプレート押さえ取付用の第１の凹部２１ｐを備えている。
【００３０】
前記第１の凹部２１ｐは、チャッキングプレート押さえ８の固定部８ｄに設けた第１，第２の位置決めピン挿入孔８ｅ，８ｆに挿入する第１，第２の位置決めピン２１ｑ，２１ｒを備えている。第１，第２の位置決めピン２１ｑ，２１ｒは、チャッキングプレート押さえ８の前記第１，第２の位置決めピン挿入孔８ｅ，８ｆに対応するように前記上シェル２１に一体的に樹脂成型されている。また、前記第１の凹部２１ｐの内側には、チャッキングプレート７の鍔部７ｃが挿入される第２の凹部２１ｓが設けられている。前記第２の凹部２１ｓの中央部には略円錐台形状のチャッキングプレート移動規制部９が突出形成されている。前記チャッキングプレート移動規制部９の中央部には、チャッキングプレート７の凹部７ｄの上面側を挿入する凹部９ａが設けられている。
【００３１】
また、上シェル２１の周壁２１ａは、前縁部２１ｂと、一対の側縁部２１ｃ，２１ｄと、後縁部２１ｅからなっている。後縁部２１ｅの中央部には、下シェル２２との位置決めを行う位置決め用の凹部２１ｆが設けられている。
【００３２】
周壁２１ａの内側、詳しくは、前縁部２１ｂと一方の側縁部２１ｃのコーナー部分、一方の側縁部２１ｃと後縁部２１ｅのコーナー部分、後縁部２１ｅと他方の側縁部２１ｄのコーナー部分のそれぞれには、次に説明する下シェル２２の第１の防塵壁１１ａの内側に重なり合って、第１の防塵壁１１ａと共に第１の塵埃侵入阻止部１１を構成する第１の防塵壁１１ｂが設けられている。
【００３３】
第２の防塵壁１１ｂの内側には、これと略同じ高さの円弧状リブ１４が、第２の防塵壁１１ｂの一端部から他端部に跨るように円弧状に形成されている。
【００３４】
円弧状リブ１４の内側には、リング状リブ１５が設けられている。このリング状リブ１５の内側は、ディスク状記録媒体３の収納部１６になっている。
【００３５】
リング状リブ１５の外側には、後に詳しく説明するインナーシェル４のリング部の先端が嵌合するリング状の凹部１７が設けられている。リング状の凹部１７の底面の前後対称位置（１８０°位相をずらした位置）にはインナーシェル４を下シェル２２から離間する方向に移動させるためのリフトアップ用の凸部１８が設けられている。リフトアップ用の凸部１８は、インナーシェル４のリング部４１の先端面に設けたインナーシェル側のリフトアップ用の凸部４６が乗り上げることにより、インナーシェル４を上シェル２１から離間する方向に移動させるようになっている。
【００３６】
図１３に示したように、下シェル２２は、上シェル２１と同様に正面側が円弧形状とされた略四角形をなす薄い皿状部材からなり、外周縁部には周壁２２ａが設けられている。
【００３７】
周壁２２ａは、前縁部２２ｂと、一対の側縁部２２ｃ，２２ｄと、後縁部２２ｅからなっている。後縁部２２ｅの中央部には、上シェル２１との位置決めを行う位置決め用の凸部２２ｆが設けられている。
【００３８】
周壁２２ａの内側、詳しくは、前縁部２２ｂと一方の側縁部２２ｃのコーナー部分、一方の側縁部２２ｃと後縁部２２ｅのコーナー部分、後縁部２２ｅと他方の側縁部２２ｄのコーナー部分には、それぞれ上シェル２１の第２の防塵壁１１ｂの外側に重なり合って、第２の防塵壁１１ｂと共に第１の塵埃侵入阻止部１１を構成する第１の防塵壁１１ａが設けられている。
【００３９】
第１の防塵壁１１ａは、下シェル２２の周壁２２ａの先端から突出するように、下シェル２２の周壁２２ａの内面に重ね合わせた状態でこれと一体に形成されている。
【００４０】
図１４に示したように、第１の防塵壁１１ａの高さＨ1は、下シェル２２の周壁２２ａの高さＨ2に、上シェル２１の周壁２１ａの高さＨ3を加えた値（Ｈ1＝Ｈ2＋Ｈ3）の高さに形成されている。
【００４１】
第１の防塵壁１１ａの内側には、図１３に示したように、前記第１の防塵壁１１ａと略同じ高さの円弧状リブ１９が、第１の防塵壁１１ａの一端部から他端部に跨るように円弧状に形成されている。
【００４２】
下シェル２２の円弧状リブ１９…１９の内側は、インナーシェル４の肉厚方向の略半分及び一対のシャッタ５を収納する収納部になっている。
【００４３】
上，下シェル２１，２２は、位置決め用の凹部２１ｆに位置決め用の凸部２２ｆを嵌合した状態で、互いの周壁２１ａ，２２ａを突き合せた状態で重ね合わされている。
【００４４】
そして、上，下シェル２１，２２を重ね合わせると、図１４に示したように、上シェル２１の第２の防塵壁１１ｂが下シェル２２の第１の防塵壁１１ａの内側面に０.１ｍｍ以上、０.５ｍｍ以下のクリアランスＣで重なり合って、第１の塵埃侵入阻止部１１が形成される。また、第１の塵埃侵入阻止部１１の内側（ディスク収納部側）においては、上シェル２１の円弧状リブ１４と下シェル２２の円弧状リブ１９が重なり合って、該部においても塵埃侵入阻止部が構成されている。
【００４５】
図１５に示したように、下シェル２２とシャッタ５の摺接面（接触面）には、シャッタ５が開口部６を閉じる第１の位置にある状態において、開口部６からディスク状記録媒体３側に塵埃が侵入するのを阻止するクランク状の第２の塵埃侵入阻止部１２が設けられている。
【００４６】
第２の塵埃侵入阻止部１２は、開口部６を囲むように下シェル２２に設けられたリブ状の凸部１２ａと、シャッタ５に設けられていて該シャッタ５が開口部６を閉じる第１の位置に移動してきたときに前記リブ状の凸部１２ａが嵌合する溝状の凹部１２ｂとで構成されている。
【００４７】
リブ状の凸部１２ａと溝状の凹部１２ｂの幅方向の端部は、傾斜面１２ｃになっていて、シャッタ５が開口部６を閉じている第１の位置から開口部６を解放する第２の位置に移動する際に、リブ状の凸部１２ａが溝状の凹部１２ｂから抜け出しやすくなっている。
【００４８】
また、下シェル２２とシャッタ５の摺接面の前記クランク状の第２の塵埃侵入阻止部１２よりも更に内側には、凹凸状の第３の塵埃侵入阻止部１３が設けられている。
【００４９】
図１３に示したように、下シェル２２には、中央部から前縁部２２ｂにかけて開口部６が設けられている。この開口部６は、ディスク回転駆動機構のターンテーブルと光学ピックアップ装置の光学ヘッドをディスク状記録媒体３に臨ませるためのもので、これらが自由に出入りできる広さに設定されている。
【００５０】
第２の塵埃侵入阻止部１２を構成するリブ状の凸部１２ａは、開口部６を囲むように平面視略Ｈ形状に、且つ略０.５ｍｍ程度の高さに形成されている。略Ｈ形状のリブ状の凸部１２ａの４つの端部には第１〜第４の背高部（閉塞部）１２ｄ〜１２ｇが設けられている。第１〜第４の背高部１２ｄ〜１２ｇは、リブ状の凸部１２ａの高さの４倍程度の高さに形成されている。略Ｈ形状のリブ状の凸部１２ａの４端部は第１〜第４の背高部１２ｄ〜１２ｇを介して、前記円弧状リブ１９に接続されている。また、下シェル２２の内面には、後に説明する一対のシャッタ部材５ａ，５ｂの長孔５３に挿入されるボス状（円柱状）の凸部２０が設けられている。ボス状の凸部２０は、前記略Ｈ形状のリブ状の凸部１２ａを挟んでその両側部に１個づつ形成されている。
【００５１】
また、図３に示したように、上，下シェル２１，２２の一方の側縁部２１ｄ，２２ｄの略中央部には、インナーシェル４の外周面のギヤ４３の一部を露出させるための開口窓３０が設けられている。この開口窓３０は、上シェル２１に設けた上シェル側切欠き部３０ａと、下シェル２２に設けた下シェル側切欠き部３０ｂとによって形成されている。更に、上，下シェル２１，２２の一方の側縁部２１ｃ，２２ｃには、その接合面に沿って前後方向に延びるガイド溝３１が設けられている。このガイド溝３１は、ディスクカートリッジ１をディスク記録再生装置に装着する際の誤挿入防止等を目的として設けられたものである。このガイド溝３１には開口窓３０が連通されている。
【００５２】
図２に示したように、下シェル２２の前縁部２２ｂと一方の側縁部２２ｄとのコーナー部には、ロック部材３２が回動可能に収納されるロック収納部３３が設けられている。このロック収納部３３は、下シェル２２のインナーシェル等の収納部に連通されていると共に、一方の側縁部２２ｄに設けられた開口穴３４を介してガイド溝３１に連通されている。更に、下シェル２２のロック収納部３３には、ロック部材３２を回動自在に支持する支持軸３５が、上シェル２１側へ突出するように設けられている。
【００５３】
ロック部材３２は、支持軸３５に回動自在に嵌合されて平面方向へ揺動可能とされたレバー状部材によって形成されている。ロック部材３２の長手方向の一端には複数の歯を有するストッパ部３６が設けられ、長手方向の他端には操作部３７が設けられている。更に、ロック部材３２には、ストッパ部３６と対向するよう同方向に突出されたバネ片３８が一体に設けられている。
【００５４】
前記ロック部材３２は、ストッパ部３６をインナーシェル等の収納部側に向けた状態で支持軸３５に嵌入され、バネ片３８が前縁部２２ｂの内面に当接される。このバネ片３８のバネ力によってストッパ部３６がインナーシェル等の収納部側に付勢されると共に、操作部３７が開口穴３４を内側から貫通してガイド溝３１内に突出される。また、下シェル２２の一方の側縁部２２ｃと後縁部２２ｅのコーナー部分に設けた誤消去防止部材取付部９１には、光ディスク等の記録媒体に記録された情報の誤消去を防止するための誤消去防止部材９２が取り付けられている。
（４）チャッキングプレートとチャッキングプレート押さえの構成及びチャッキングプレートの作用
図１６に示したように、チャッキングプレート７は、円形状の底面部７ａと、この底面部７ａの外周部に設けられた円錐状の周壁部７ｂと、この円錐状の周壁部の大径部側に設けられた鍔部７ｃと備えている。
【００５５】
前記円形状の底面部７ａは、中央部にターンテーブル１０８の軸部１０８ａの先端部が侵入する円錐状の凹部７ｄを備えていると共に、周縁部にはディスク状記録媒体３の表面を押さえるリング状の凸部７ｅを備えている。チャッキングプレート７は、ステンレススチール等の磁性金属板にプレス加工を施すことにより一体的に形成されている。
【００５６】
また、チャッキングプレート押さえ８は、チャッキングプレート７の周壁部７ｂよりも大径の孔８ａを中心部に有し、チャッキングプレート７の鍔部７ｃよりも大径に形成されたリング状の底面部８ｂと、この底面部８ｂの外周部に設けられた周壁部８ｃと、この周壁部８ｃの先端に設けられた鍔状の固定部８ｄとを備えている。前記鍔状の固定部８ｄの直径方向の対向位置には第１，第２の位置決めピン挿入孔８ｅ，８ｆが設けられている。第１の位置決めピン挿入孔８ｅは、丸孔に形成され、第２の位置決めピン挿入孔８ｆは、長孔に形成されている。また、前記鍔状の固定部８ｄの上シェル２１への取付面には、溶着リブ８ｇが設けられている。前記チャッキングプレート押さえ８は、合成樹脂等により一体的に射出成型されている。
【００５７】
チャッキングプレート７の鍔部７ｃの幅（径）Ｄ1は、チャッキングプレート押さえ８のリング状の底面部８ｂの幅（径）Ｄ2よりも小幅に形成されている。
【００５８】
前記チャッキングプレート押さえ８の上シェル２１への取り付けに際しては、先ず、図１７に示したように、チャッキングプレート７の鍔部７ｃを上シェル２１の第１の凹部２１ｐ内に載置する。次に、図１８に示したように、チャッキングプレート押さえ８の固定部８ｄを上シェル２１の第２の凹部２１ｓに載置し、該第２の凹部２１ｓ上に設けた第１，第２の位置決めピン２１ｑ，２１ｒを前記固定部８ｄに設けた第１，第２の位置決めピン挿入孔８ｅ，８ｆに挿入し、チャッキングプレート押さえ８を位置決めした状態で超音波振動を加えて、前記溶着リブ８ｇの先端を溶融することにより、チャッキングプレート押さえ８は、上シェル２１に溶着結合される。
【００５９】
次に、チャッキングプレートの作用について説明する。
【００６０】
チャッキングプレート押さえ８を取り付けた上シェル２１を裏返して水平に置くと、図１９に示したように、チャッキングプレート押さえ８のリング状の底面部８ｂにチャッキングプレート７の鍔部７ｃが支持され、チャッキングプレート７の底面部７ａは、チャッキングプレート押さえ８のリング状の底面部８ｂに設けた孔８ａから垂下する。この際に、チャッキングプレート７の周壁部７ｂは、円錐状に形成されているので前記底面部７ａは自ずと前記孔８ａの中央部にセンタリングされる。
【００６１】
チャッキングプレート７の鍔部７ｃの幅Ｄ1は、チャッキングプレート押さえ８のリング状の底面部８ｂの幅Ｄ2よりも小幅に形成されているので、チャッキングプレート７の鍔部７ｃの外周面とチャッキングプレート押さえ８の周壁部８ｃの内周面とは非接触状態に保たれる。
【００６２】
そして、ディスクカートリッジ１を情報記録再生装置に装填すると、図２０に示したように、ディスク状記録媒体３は、ターンテーブル６７のテーブル本体部６７ａ上に載置されると共に、軸部６７ｂの先端部がチャッキングプレート７の円形状の凹部７ｄ内に侵入し、チャッキングプレート７を磁気吸引して、ディスク状記録媒体３をテーブル本体部６７ａの間に挟み着けてチャッキングすると共に、チャッキングプレート７の鍔部７ｃをチャッキングプレート押さえ８の底面部８ｂと非接触状態にして、ディスク状記録媒体３及びチャッキングプレート７を回転フリーの状態にする。
【００６３】
（５）ディスク状記録媒体の構成
ディスク状記録媒体３として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスクが知られているが、実施例では記録可能型の光ディスク（以下、ディスク状記録媒体を単に光ディスクと称する）が使用されている。
【００６４】
図４に示したように、光ディスク３は、中央部にセンタ穴３ａが設けられた厚みの薄い円板状の記録部材からなる。
【００６５】
光ディスク３は、チャッキングプレート７により記録再生装置のターンテーブルにチャッキングされて回転方向に一体化されて所定速度（例えば、ゾーン毎の角速度一定）で回転される。
【００６６】
光ディスク３の一面には、記録再生装置に内蔵される光学ピックアップ装置の光学ヘッドが対向される情報記録の可能な情報記録領域２９ａと、情報記録の不可能な非記録領域２９ｂとが設けられている。非記録領域２９ｂは、光ディスク３の内側であるチャッキングプレート２８の外側に所定幅で設けられた内側の非記録領域２９ｂと、光ディスク３の外周縁に所定幅で設けられた外側の非記録領域２９ｂとからなる。この内外側の非記録領域２９ｂ，２９ｂ間に情報記録領域２９ａが設けられている。
【００６７】
光ディスク３は、次に説明するインナーシェル４のリング部４１内に回転自在に収納される。なお、光ディスク３の基板の材質としては、例えば、ポリカーボネート（ＰＣ）、ポリメタクリレート（ＰＭＭＡ）等の合成樹脂が好適であるが、他の合成樹脂を用いることができることも可能であり、合成樹脂以外でも、ガラス材等の材料を用いることができる。
【００６８】
ディスク状記録媒体としては、光ディスクに限定されるものではなく、薄い円盤の表面に、磁性薄膜層を形成して特定位置の磁化状態により情報を記憶するようにした磁気ディスク、同様に形成した磁性薄膜層に光ヘツドと磁気ヘツドを使用して情報を書き込み又は読み出すようにした他の記憶媒体も適用することができる。
【００６９】
（６）インナーシェルの構成
本発明の樹脂成型品１００の第１の成型部１００Ａを独立させることにより形成されたインナーシェル４は、図２に示すように、円盤状の薄い板材からなる平面部４０と、この平面部４０の外周縁に連続して設けられたリング部４１とを有している。インナーシェル４の平面部４０には、開口部４２が形成されている。この開口部４２は、下シェル２２の開口部６と形状及び大きさがほぼ等しく形成されている。
【００７０】
リング部４１は、上シェル２１のリング状リブ１５の外径よりも稍大径の円筒状に形成され、前記リング状リブ１５の外周に回転自在に嵌合され、その先端部が前記リング状リブ１５の外側に設けられたリング状の凹部１７に挿入されるようになっている。また、リング部４１の外周面には、周方向の所定範囲に渡って多数の歯を有するギア部４３が設けられている。このギア部４３は、インナーシェル４の回転角度よりも少々大きい角度範囲となるように設定されている。即ち、図１７に示すように、下シェル２２の開口部６に対してインナーシェル４の開口部４２が最大に傾いて、次に説明する一対のシャッタ部材５ａ，５ｂが完全に閉じた状態になると、ギア部４３の周方向の一端が開口窓３０に露出される。また、図１６に示すように、インナーシェル４が所定角度回転して開口部４２と開口部６が重なり合った状態となり、一対のシャッタ部材５ａ，５ｂが完全に開いたときに、ギア部４３の周方向の他端が開口窓３０に露出される。
【００７１】
インナーシェル４のギア部４３の両側には、インナーシェル４の回転移動量を制限するストッパ部４４ａ，４４ｂが半径方向外側へ突出するように設けられている。
【００７２】
このようにギア部４３及びストッパ部４４ａ，４４ｂがリング部４１の外周面から外側へ突出しているため、上シェル２１及び下シェル２２の対応する部分には、ストッパ部４４ａ，４４ｂ等との接触を回避してその通過を許容するための逃げ溝４５ａ，４５ｂがそれぞれ設けられている。
【００７３】
図２１に示したように、インナーシェル４の開口部４２と下シェル２２の開口部６が重なり合った状態になると、ストッパ部４４ａの一端部が逃げ溝４５ａの一端部に設けたストッパ係合部４５ｃに係合してインナーシェル４の更なる回転を阻止する。また、図２２に示したように、インナーシェル４の開口部４２が下シェル２２の開口部６に対して最大に傾いた状態になると、ストッパ部４４ｂの一端部が開口部６の一端部に設けたストッパ係合部４５ｄに係合してインナーシェル４の更なる回転を阻止する。
【００７４】
更に、リング部４１の先端面には、周方向の２箇所にリフトアップ用の凸部４６が設けられている。これらインナーシェル側のリフトアップ用の凸部４６は、図２２に示したように、インナーシェル４の開口部４２が下シェル２２の開口部６に対して最大に傾いた状態において、図２９に示したように、上シェル２１のリング状の凹部１７内に設けたリフトアップ用の凸部１８に乗り上げるようになっている。更に、インナーシェル４の平面部４０のリング部４１と反対側の面には、図２１に示したように、一対のシャッタ部材５ａ，５ｂを平面方向へ回動自在に支持するための一対の支持軸４９，４９が設けられている。この一対の支持軸４９，４９は、開口部４２を中心にして点対称となるよう１個づつ設けられている。また、一対の支持軸４９，４９の近傍には、下シェル２２に設けた略Ｈ形状のリブ状の凸部１２ａと略同じ高さの台形状の嵌合解除用の凸部４８、４８が設けられている。これら嵌合解除用の凸部４８、４８は、シャッタ部材５ａ，５ｂが開口部６を閉じている図２２の位置（第１の位置）から開口部６を解放する図２１の位置（第２の位置）に移動する際に、リブ状の凸部１２ａを溝状の凹部１２ｂから抜き出すためのものである。
【００７５】
嵌合解除用の台形状の凸部４８、４８は、図２２に示す位置において、下シェル２２に設けた略Ｈ形状のリブ状の凸部１２ａの端部に設けた第２，第４の背高部１２ｅ，１２ｇの側方に位置している。
【００７６】
（７）シャッタの構成
図２３及び図２４に示したように、シャッタ５は、ほぼ同一の形状及び大きさに形成された一対のシャッタ部材５ａ，５ｂによって構成されている。前記一対のシャッタ部材５ａ，５ｂは、略半円形をなす前記リブ状の凸部１２ａの第１〜第４の背高部１２ｄ〜１２ｇの高さと略同じ板厚の板体によって形成されている。各シャッタ部材５ａ、５ｂの弦側辺の略中央部には、弦線と直交する方向に所定の長さで形成された段部５０が設けられており、この段部５０を介してその両側に凸側接合部５０ａと凹側接合部５０ｂとが形成されている。更に、シャッタ部材５ａ，５ｂの各接合部５０ａ，５０ｂには、弦の延在方向と直交する方向に庇状に突出する庇部５１ａ，５１ｂがそれぞれ設けられている。  かくして、一対のシャッタ部材５ａ，５ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材５ａ，５ｂの弦側辺の凸側接合部５０ｂ側の端部である軸組付部５０ｃには、軸受孔５２がそれぞれ設けられている。
【００７７】
シャッタ部材５ａ、５ｂの弦側辺の凹側接合部５０ｂ側の端部には、それぞれ下シェル２２の略Ｈ形状のリブ状の凸部１２ａの端部に設けた第２の背高部１２ｅ又は第４の背高部１２ｇを導入する切欠部５０ｄが設けられている。
【００７８】
前記軸受孔５２に平面部４０の支持軸４９を嵌合させることにより、各シャッタ部材５ａ，５ｂがインナーシェル４にそれぞれ回動自在に取り付けられる。この際、一対のシャッタ部材５ａ，５ｂは、互いの弦側辺を対向させて取り付けるようにする。その結果、図２５に示すように、一対のシャッタ部材５ａ、５ｂをそれぞれ外側へ離反させるように回動させたとき、各シャッタ部材５ａ，５ｂは、インナーロータ４の開口部４２を挟んで、その両側部上に重なるように載置される。一方、一対のシャッタ部材５ａ，５ｂをそれぞれ内側へ回動させて互いの接合部５０ａ，５０ｂをそれぞれ当接させることにより、図２６に示すように、開口部４２の中央部が一対のシャッタ部材５ａ，５ｂによって閉じられる。
【００７９】
更に、図２３〜図２６に示したように、シャッタ部材５ａ，５ｂの凹側接合部５０ｂ側には、このシャッタ部材５ａ，５ｂを開閉動作させるための長孔（開閉溝）５３がそれぞれ設けられている。各長孔５３は、それらが設けられているシャッタ部材５ａ，５ｂの軸受孔５２を中心に放射方向へ延びるように形成されている。この長孔５３には、下シェル２２のボス状の凸部２０が摺動可能に係合される。更に、各長孔５３の外側の端部には、周囲に切り込みを入れることによって形成された弾性片５４と、ボス状の凸部２０を逃がすための凹部５３ａとが設けられている。また、シャッタ部材５ａ，５ｂの円弧側辺には閉鎖用の凸片５５が設けられている。図２８に示したように、シャッタを閉じた状態において、前記シャッタ部材５ａの凸片５５は、下シェル２２の第１の背高部１２ｄに当接し、シャッタ部材５ｂの凸片５５は、下シェル２２の第３の背高部１２ｆに当接して、これらの間の隙間を塞ぐようになっている。
【００８０】
また、図２５、図２６に示したように、シャッタ部材５ａ，５ｂの下シェル２２との摺接面には、略Ｈ形状のリブ状の凸部１２ａと係合して、第２の塵埃侵入阻止部１２を構成する溝状の凹部１２ｂが設けられている。溝状の凹部１２ｂには、シャッタ部材５ａ，５ｂが開口部４２を閉じている状態において、下シェル２２のリブ状の凸部１２ａが嵌合するようになっている。また、第２の塵埃侵入阻止部１２の内側には、多数の凹凸からなる第３の塵埃侵入阻止部１３が設けられている。
【００８１】
シャッタ部材５ａ，５ｂの材質としては、例えば、ＡＢＳ樹脂（アクリロニトリル・ブタジエン・スチレン樹脂）、ＨＩＰＳ（高衝撃性ポリスチレン）、ＰＯＭ（ポリアセタール）等の合成樹脂が用いられ、更には摺動性が付与されたタイプの材料が好適である。しかしながら、その他の合成樹脂を適用できることは勿論のこと、アルミニウム合金、ステンレス鋼その他の金属材料を用いることもできる。
【００８２】
（８）ディスクカートリッジの組立方法
上述したような構成を有するディスクカートリッジ１の組み立て作業は、次のような工程で行われる。先ず上シェル２１の内面の中央部にチャッキングプレート７及びチャッキングプレート押さえ８を取り付ける。次に、図４に示すように、チャッキングプレート７及びチャッキングプレート押さえ８を取り付けた上シェル２１を内面を上に状態で作業台上に載置する。次に、上シェル２１の中央部のディスク収納部１６内に光ディスク３を載置する。このとき、光ディスク３は、チャッキングプレート２８側の面を下にしてディスク収納部内に収納する。
【００８３】
次に、光ディスク３を覆うようにインナーシェル４のリング部４１を上シェル２１のリング状リブ１５の外側に嵌合させる。これにより、インナーシェル４と上シェル２１との間に光ディスク３が回転自在に収納される。このとき、インナーシェル４の開口部４２が延在する方向を上シェル２１の前後方向に一致させ、ギア部４３の一端を開口窓３０に臨ませる。
【００８４】
次に、シャッタ５をインナーシェル４に組み付ける。これは、一対のシャッタ部材５ａ，５ｂの互いの弦側を対向させ、この状態で軸受孔５２にインナーシェル４の平面部４０の支持軸４９にそれぞれ嵌合させる。そして、各シャッタ部材５ａ、５ｂを互いに離反させ、インナーシェル４の開口部４２の両側部上にそれぞれ重ね合わせする。これと同時に、又は前後して、ロック収納部３３の支持軸３５にロック部材３２を取り付ける。この際、ロック部材３２のバネ片３８を上シェル２１の前縁部２１ａの内面に当接させ、このバネ片３８のバネ力によって入力部３７を開口穴３４からガイド溝３１内に突出させる。
【００８５】
次に、シャッタ５を含むインナーシェル４の上に下シェル２２を被せ、この下シェル２２を上シエル２１に重ね合わせと、図１４に示したように、上，下シェル２１，２２の周壁部の内側に設けた第１，第２の防塵壁１１ａ，１１ｂが０．１ｍｍ以上、０．５ｍｍ以下のクリアランスＣをもって重なり合って、第１の防塵侵入阻止部１１が構成されると共に、下シェル２２とシャッタ部材５ａ，５ｂの接触面間に凹凸状の第３の塵埃侵入阻止部１３が構成される。上，下シェル２１，２２を重ね合わせるときに、下シェル２２の位置決め用凸部２２ｆを上シェル２１の位置決め用凹部２１ｆに嵌め込む。これにより、下シェル２２が上シェル２１に対して自動的に位置決めされる。この際、一対のシャッタ部材５ａ、５ｂを上述した位置に配置しておくことにより、下シェル２２に設けた一対のボス状の凸部２０，２０を一対の長孔５３，５３にそれぞれ対向させることができる。従って、一対の長孔５３，５３の位置を気に掛けることなく、下シェル２２を上シェル２１に重ね合わせるだけで一対のボス状の凸起２０，２０を一対の長孔５３，３０に係合させることができる。
【００８６】
その後、複数本の固定ネジを用いて下シェル２２を上シェル２１に締め付け固定する。これにより、ディスクカートリッジ１の組立作業が完了する。この場合、固定ネジ等の別部材からなる固着手段を用いることなく、例えば、接着剤等を用いて上シェル２１と下シェル２２の接合面を直に接合する構成とすることもできる。このように、本実施例に係るディスクカートリッジによれば、使用される構成部品の数が少なく、しかも、極めて簡単に組立作業を行うことができる。前記ディスクカートリッジ１の組立作業をフローチャートで示すと図３０に示すようになる。
【００８７】
上述のようにして、上シェル２１に下シェル２２を重ね合わせると、下シェル２２の開口部６とインナーシェル４の開口部４２が重なり合って、これら開口部６，４２を介して光ディスク３の記録面が外部に臨むようになっている。
【００８８】
そして、この状態からインナーシェル４の外周のギヤ部４３を操作して、インナーシェル４を一方向に回転させれば、図２８に示したように、シャッタ部材５ａ，５ｂの接合部５０ａ，５０ｂが重なり合って、下シェル２２の開口部６は閉じられた状態になる。
【００８９】
この場合、上述したように一対のシャッタ部材５ａ、５ｂの接合部５０ａ，５０ｂには、それぞれ厚みが半分程度の庇部５１ａ，５１ｂがそれぞれ設けられており、これらの庇部５１ａ，５１ｂが他方の接合部５０ａ，５０ｂの下方に入り込む構成となっている。そのため、接合部５０ａ，５０ｂの全体が適度に重ね合わされることから、ラビリンス効果を生じさせて、接合部５０ａ，５０ｂの全長に亘って塵埃が入り難い構造になる。しかも、接合部５０ａ，５０ｂを内側へ回動押圧した場合には、その接合部５０ａ，５０ｂに加えられた外力を内側に位置する庇部５１ａ，５１ｂによって受けることになる。そのため、庇部５１ａ，５１ｂによって接合部５０ａ，５０ｂ間の係合状態をより強固なものにすることができ、シャッタ部材の変形を防止できると共に塵埃の侵入をより確実に防止することができる。
【００９０】
更にまた、シャッタ部材５ａ，５ｂで下シェル２２の開口部６を閉じた状態において、シャッタ部材５ａ，５ｂに設けた溝状の凹部１２ｂに下シェル２２の略Ｈ形状のリブ状の凸部１２ａが嵌合して、下シェル２２とシャッタ部材５ａ，５ｂの間にクランク状の第２の塵埃侵入阻止部１２を構成し、この第２の塵埃侵入阻止部１２が下シェル２２の開口部６の周縁部を囲った状態になっているので塵埃が開口部６側から下シェル２２とシャッタ部材５ａ，５ｂの接触面を介して光ディスク３側に侵入するのをより確実に阻止する。
【００９１】
上述したように、ディスクカートリッジ１がディスク記録再生装置に装着される前には、シャッタ５の一対のシャッタ部材５ａ，５ｂは、その自重や下シェル２２とインナーシェル４との間に生じている摩擦力等によって下シェル２２の開口部６及びインナーシェル４の開口部４２が完全に閉じられた状態に維持される。更に、インナーシェル４の２個のリフトアップ用の凸部４６が、上シェル２１のリング状凹部１７に設けた２個のリフトアップ用の凸部１８に乗り上げた状態になっている。そのため、一対のシャッタ部材５ａ、５ｂは、図２９Ａに示すように、上シェル２１とインナーシェル４とによって両側から挟持された状態となっている。
【００９２】
更に、図２８に示すように、ロック部材３２のバネ片３８のバネ力によってストッパ部３６がインナーシェル４のギア部４３に係合されている。そのため、一対のシャッタ部材５ａ，５ｂは、二重にロックされた状態となっている。従って、シャッタ５による開口部６，４２の閉塞状態を確実に保持することができ、振動等に起因してシャッタ５が誤って開かれるのを確実に防止することができる。
【００９３】
このような状態のディスクカートリッジ１を、図２７に示すように、ディスク記録再生装置６０に挿入することにより、このディスク記録再生装置６０に設けられているシャッタ開閉機構によってロック部材３２のロック状態が解除される。その後、このシャッタ開閉機構によってシャッタ５が開放され、開口部６，４２が開かれる。このシャッタ５の開閉動作は、次のディスクカートリッジの項で説明する。
【００９４】
（９）ディスクカートリッジの作用
次に、ディスクカートリッジの作用をディスク記録再生装置の構成と共に説明する。ディスク記録再生装置６０は、図２７に示すように、中空の筐体からなる外装ケース６１と、この外装ケース６１内に収納された記録再生装置本体（図示省略）等を備えて構成されている。外装ケース６１は、上面及び前面に開口されたケース本体６２と、このケース本体６２の上面を閉じるように上部に着脱可能に取り付けられたケース蓋体６３と、ケース本体６２及びケース蓋体６３の前面を閉じるように前部に着脱可能に取り付けられた前面パネル６４等を備えている。
【００９５】
ケース本体６２の４箇所には、下方に突出する脚体６２ａが設けられている。これらの脚体６２ａによってディスク記録再生装置６０が支えられている。前面パネル６４は、横長とされた板状部材からなり、その上部には横長のカートリッジ出入口６５が設けられている。カートリッジ出入口６５は、ディスクカートリッジ１の正面側の大きさ略同程度の大きさに形成されている。このカートリッジ出入口６５は、その内側に配置された開閉扉６６によって常時は閉じられている。
【００９６】
この開閉扉６６をディスクカートリッジ１の前部で押圧し、所定の位置まで差し込む。これにより、図示しないローディング機構によってディスクカートリッジ１が自動的に取リ込まれる。そして、ローディング機構で搬送されたディスクカートリッジ１は、ディスク記録再生装置６０内の所定位置で位置決めされて固定される。これと同時に又は前後して、ディスク記録再生装置６０に設けられているシャッタ開閉機構によってシャッタ５が操作され、開口部６，４２が開放される。
【００９７】
ディスクカートリッジ１が所定の位置まで挿入されると、図２８に示すように、ディスク記録再生装置６０に内蔵されたシャッタ開閉機構のラック棒７０が、ディスクカートリッジ１の一方の側面部に設けたガイド溝３１内に入り込む。これにより、ガイド溝３１内に突出されているロック部材３２の操作部３７が、バネ片３８の付勢力に抗してラック棒７０の押圧力によりロック収納部３３内に押し込められる。更に、ラック棒７０が相対的に前進することにより、そのギア部７０ａの先端がインナーシェル４のギア部４３に噛み合わされる。
【００９８】
このギア部４３がラック棒７０のギア部７０ａに噛み合うことにより、ラック棒７０の移動量に応じてインナーシェル４が回転される。
【００９９】
図２８は、ラック棒７０のギア部７０ａがインナーシェル４のギア部４３に噛み合う前の状態を示すものである。この状態では、一対のシャッタ部材５ａ，５ｂの凸側接合部５０ａ及び凹側接合部５０ｂは互いに突き当てられて密着されている。このとき、インナーシェル４の開口部４２は、下シェル２２の開口部６に対して傾斜された位置にあるため、両開口部６，４２の重なり合った中央部分のみが開口されるが、その開口部は一対のシャッタ部材５ａ，５ｂによって閉じられている。従って、開口部６、４２の重複部分から塵埃がディスク収納部内に入り込む虞れがない。
【０１００】
更に、開口部６と開口部４２とが鋭角で接近している部分には、一対のシャッタ部材５ａ，５ｂの軸取付部５０ｃが介在されており、これら軸取付部５０ｃがリブ状の凸部１２ａの第２，第４の背高部１２ｅ，１２ｇの内側に位置して隙間を消滅させている。また、第１，第３の背高部１２ｄ，１２ｆの内側には閉鎖用の突片５５が介在されて隙間を消滅させている。更に、一対のシャッタ部材５ａ，５ｂに設けた長孔５３は、シャッタ部材５ａ，５ｂが重なっている下シェル２２によって閉じられている。更にまた、図２９Ａ及び図１５に示したように、開口部６を囲むように下シェル２２に設けた略Ｈ形状のリブ状の凸部１２ａがシャッタ部材５ａ，５ｂに設けた溝状の凹部１２ｂに嵌まり込んでクランク状の第２の塵埃侵入阻止部１２が形成されると共に、第２の塵埃侵入阻止部１２の内側にはシャッタ部材５ａ，５ｂに設けた多数の凹凸からなるラビリンス状の第３の塵埃侵入阻止部１３が形成されているので、開口部６，４２を介して塵埃がディスク収納部内に侵入するおそれが無い。
【０１０１】
この状態から、ディスクカートリッジ１の挿入動作に対応してラック棒７０がガイド溝３１内に入り込み、そのギア部７０ａとインナーシェル４のギア部４３との噛み合いが開始されると、インナーシェル４が反時計方向に回転される。この場合、インナーシェル４が回転動作を開始する初期状態では、図２８及び図２９Ａに示すように、インナーシェル４のリフトアップ用の凸部４６が上シェル２１のリフトアップ用の凸部１８に乗り上げてインナーシェル４との間で一対のシャッタ部材５ａ、５ｂを挟持した状態となっているため、インナーシェル４の回転動作には比較的大きな力が必要とされる。リフトアップ用の凸部１８，４６相互の乗り上げによる大きな摩擦力に抗してインナーシェル４を回転させることにより、図２９Ｂに示すように、リフトアップ用の凸部１８，４６相互の係合が外れ摩擦力が消滅する。そのため、これ以後のインナーシェル４の回転動作は、極めて軽く且つスムースに行うことができる。
【０１０２】
インナーシェル４を回転により、インナーシェル４の底面に設けた嵌合解除用の台形状の凸部４８，４８が下シェル２２のリブ状の凸部１２ａの第１，第３の背高部１２ｄ，１２ｆに乗り上げて、下シェル２２に対してインナーシェル４が持ち上げられた状態になると共に、シャッタ部材５ａ，５ｂも上昇して、リブ状の凸部１２ａから溝状の凹部１２ｂが抜け出た状態になるのである。
【０１０３】
このとき、シャッタ部材５ａ，５ｂの各軸受孔５２は、インナーシェル４の回転によって同様に回転される一方、他端側に設けた長孔５３には下シェル２２のボス状の凸部２０，２０がそれぞれ摺動可能に係合されている。この一対のボス状の凸部２０，２０は、下シェル２２に設けられていて移動することがない。その一方、長孔５３は、シャッタ部材５ａ，５ｂの回動に追従してボス状の凸部２０，２０との間に相対移動が可能なように軸受孔５２とボス状の凸部２０を結ぶ方向Ｓに延在されているので、シャッタ部材５ａ，５ｂの回動量に応じてボス状の凸部２０が長孔５３内を軸受孔５２側に相対移動する。これにより、各シャッタ部材５ａ，５ｂにおいて軸受孔５２が対応するボス状の凸部２０側に移動する。その結果、図３１の状態から、図３２、図３３及び図３４の状態を経て、図３５に示すように、各シャッタ部材５ａ，５ｂがインナーシェル４の開口部４２の両側部に移動する。これにより、上下の開口部６，４２が完全に開放される。そのため、ディスク収納部内に収納されている光デイスク３の一部が開口部６，４２によって露出される。
【０１０４】
その結果、図１９に示すように、開口部６，４２に対するターンテーブル６７及び図示省略の光学ヘッドの挿入が可能となる。そこで、ターンテーブル６７等をディスクカートリッジ１側へ移動するか又はディスクカートリッジ１をターンテーブル６７側へ移動することにより、ターンテーブル６７及び光学ヘッドが開口部６内に入り込む。その結果、図２０に示すように、ターンテーブル６７のテーブル本体部６７ａ上に光ディスク３が載置されると共に、軸部６７ｂがチャッキングプレート７の凹部７ｂ内に侵入し、チャッキングプレート７を吸着して、チャッキングプレート７とテーブル本体部６７ａの間で光ディスク３を挟着（チャッキンング）し、光学ヘッドが所定の間隔を保持して光ディスク３の情報記録領域２９ａに対面される。これにより、ディスク記録再生装置６０による光ディスク３の情報記録領域２９ａに対する情報信号の再生又は記録が可能となる。
【０１０５】
そこで、スピンドルモータの駆動によリターンテーブル６７を介して光ディスク３を回転させると共に、光学ヘッドからレーザ光を出射して情報記録領域２９ａに予め記録されている情報信号を読み出し、又はその情報記録領域２９ａに対して新たな情報信号を書き込むことができる。これにより、記録再生装置本体６２による情報信号の再生又は記録が実行される。
【０１０６】
このようにして行われる情報信号の再生又は記録の後、例えば、ディスク記録再生装置６０に設けられるカートリッジ排出ボタン（図示せず）を操作することにより、ローディング機構の作動を介してディスクカートリッジ１がディスク記録再生装置６０から排出される。即ち、ローディング機構の排出動作によってディスクカートリッジ１がカートリッジ出入口６５側に移動すると、相対的にラック棒７０が後退動作される。
【０１０７】
このラック棒７０の後退動作により、インナーシェル４及び一対のシャッタ部材５ａ，５ｂが上述した挿入時とは逆の動作を実行する。即ち、図３５に示す一対のシャッタ部材５ａ，５ｂが完全に開いた状態から、インナーシェル４及び一対のシャッタ部材５ａ，５ｂが時計方向に回動し、図３４、図３３及び図３２の状態を経て、図３１の状態に変化する。この図３４〜図３１の状態では、インナーシェル４のリフトアップ用の凸部４６は、下シェル２２のリフトアップ用の凸部１８と非接触状態にあるため、インナーシェル４を軽い力Ｆで回転させることができる。
【０１０８】
次に、インナーシェル４が図３１の状態から図２８の状態に変化する際に、インナーシェル４のリフトアップ用の凸部４６が下シェル２２のリフトアップ用の凸部１８に乗り上げるため、これ以後、インナーシェル４の回動には上述した摩擦力が加えられる。一方、ボス状の凸部２０に対して長孔５３が最外側部まで移動し、弾性片５４に接触してこれを抑圧する。これにより、ボス状の凸部２０の押圧力によって弾性片５４にバネ力Ｘが発生する。この弾性片５４のバネ力Ｘによって中央の段部５０には、他方のシャッタ部材５ａ又は５ｂに作用する圧接力Ｙが発生する。
【０１０９】
この圧接力Ｙは、一対のシャッタ部材５ａ，５ｂの両者に発生するため、互いの圧接力Ｙによって一対のシャッタ部材５ａ，５ｂの密閉性が更に高められる。従って、一対のシャッタ部材５ａ，５ｂの接合部における防塵性を向上させて、塵埃等がディスク収納部内に侵入するのをより効果的に防止することができる。
【０１１０】
その後、ラック棒７０のギア部７０ａがギア部４３から外れた後、そのラック棒７０が開口穴３４を通過することにより、ロック部材３２の操作部３７が開口穴３４からガイド溝３１内に突出される。これと同時に、ストッパ部３６が内側に移動してギア部４３に噛み合わされる。その結果、ロック部材３２によってインナーシェル４がロックされ、その回動が停止される。そして、図２６及び図２８に示すように、一対のシャッタ部材５ａ，５ｂによって開口部６，４２の全体が完全に閉じられる。
【０１１１】
【発明の効果】
本発明には次に述べるような効果がある。
（１）本発明のディスクカートリッジは、インナーシェルからゲートの痕跡部を無くして、インナーシェルの回転を円滑に行わせることができる。
（２）本発明の樹脂成型品は、第１の成型部を、鍔状薄肉部で切断して第２の成型部と分離することにより、前記第１の成型部を、ゲートの痕跡部のない一つの製品として独立させことができる。
（３）本発明の樹脂成型品は、第１の成型部を、鍔状薄肉部で切断して第２の成型部と分離することにより、前記第１の成型部を、ゲートの痕跡部のないディスクカートリッジのインナーシェルとして独立させことができる。
（４）本発明のインナーシェルの製造方法は、射出成型装置の金型に設けたパンチによって、金型内で、鍔状薄肉部の切断を行うことができる。
【図面の簡単な説明】
【図１】ディスクカートリッジを上面側から見た斜視図。
【図２】図１の分解斜視図。
【図３】ディスクカートリッジを下面側から見た斜視図。
【図４】図３の分解斜視図。
【図５】樹脂成型部品を上面側から見た斜視図。
【図６】樹脂成型部品を下面側から見た斜視図。
【図７】第１の成型品を分離した状態を上面側から見た斜視図。
【図８】第１の成型品を分離した状態を下面側から見た斜視図。
【図９】樹脂成型装置の略示的断面図。
【図１０】溶融樹脂の流れを示す説明図。
【図１１】ゲートカットパンチ装置の略示的断面図。
【図１２】上シェルの内面側の平面図。
【図１３】下シェルの内面側の平面図。
【図１４】図１のＡ−Ａ断面図。
【図１５】図３のＢ−Ｂ断面図。
【図１６】要部の拡大斜視図。
【図１７】組付工程を示す断面図。
【図１８】組付工程を示す断面図。
【図１９】チャッキング前の断面図。
【図２０】チャッキング後の断面図。
【図２１】下シェルにインナーシェルを組み付けて両者の開口部の位置を合わせた状態の平面図。
【図２２】下シェルにインナーシェルを組み付けて両者の開口部の位置をずらした状態の平面図。
【図２３】シャッタ部材を上面側から見た斜視図。
【図２４】シャッタ部材を下面側から見た斜視図。
【図２５】シャッタ部材をインナーシェルに取り付けて開口部を開いた状態の斜視図。
【図２６】シャッタ部材をインナーシェルに取り付けて開口部を閉じた状態の斜視図。
【図２７】ディスク記録再生装置の斜視図。
【図２８】カートリッジ筐体とシャッタ機構との動作関係を示し、シャッタ部材で開口部を完全に閉じた状態を示す説明図。
【図２９】（Ａ）はインナーシェルのリフトアップ用の凸部が上シェルのリフトアップ用の凸部に乗り上げた状態を示す断面図、（Ｂ）はインナーシェルと上シェルのリフトアップ用の凸部の係合が外れた状態を示す断面図。
【図３０】組付工程を示すフローチャート図。
【図３１】図２８の状態からインナーシェルが少し回転して一対のシャッタ部材が少し開いた状態を示す説明図。
【図３２】図３１の状態からインナーシェルが更に少し回転して一対のシャッタ部材が更に少し開いた状態を示す説明図。
【図３３】図３２の状態からインナーシェルが更に回転して一対のシャッタ部材が更に開いた状態を示す説明図。
【図３４】図３３の状態からインナーシェルが更に回転して一対のシャッタ部材が更に開いた状態を示す説明図。
【図３５】  図３４の状態からインナーシェルが更に回転して一対のシャッタ部材が完全に開いた状態を示す説明図。
【図３６】従来の樹脂成型製品を示す分解斜視図。
【図３７】溶融樹脂の流れを示す説明図。
【図１】
0003692991.tif 000002
【図２】
0003692991.tif 000003
【図３】
0003692991.tif 000004
【図４】
0003692991.tif 000005
【図５】
0003692991.tif 000006
【図６】
0003692991.tif 000007
【図７】
0003692991.tif 000008
【図８】
0003692991.tif 000009
【図９】
0003692991.tif 000010
【図１０】
0003692991.tif 000011
【図１１】
0003692991.tif 000012
【図１２】
0003692991.tif 000013
【図１３】
0003692991.tif 000014
【図１４】
0003692991.tif 000015
【図１５】
0003692991.tif 000016
【図１６】
0003692991.tif 000017
【図１７】
0003692991.tif 000018
【図１８】
0003692991.tif 000019
【図１９】
0003692991.tif 000020
【図２０】
0003692991.tif 000021
【図２１】
0003692991.tif 000022
【図２２】
0003692991.tif 000023
【図２３】
0003692991.tif 000024
【図２４】
0003692991.tif 000025
【図２５】
0003692991.tif 000026
【図２６】
0003692991.tif 000027
【図２７】
0003692991.tif 000028
【図２８】
0003692991.tif 000029
【図２９】
0003692991.tif 000030
【図３０】
0003692991.tif 000031
【図３１】
0003692991.tif 000032
【図３２】
0003692991.tif 000033
【図３３】
0003692991.tif 000034
【図３４】
0003692991.tif 000035
【図３５】
0003692991.tif 000036
【図３６】
0003692991.tif 000037
【図３７】
0003692991.tif 000038